(57)【要約】【目的】外部電源からの電力供給が滞った場合でも、データーインターフェースから電力供給を受けて適切な終了処理を行うことができる通信装置を提供すること。【構成】通信手段であってデータ通信と同時に電力を供給できる通信手段と、外部ＡＣ電源を適当なＤＣ電源電圧に変換して各モジュールに電源を供給する電源手段と、該電源手段に不具合が生じた時に該電源手段に不具合が生じた時に通知する通知手段と、該電源手段に不具合が生じた時に過渡的に電源を供給する過渡電源供給手段と、演算処理手段と、該演算処理手段が演算処理の際に必要とする記憶手段と、該演算処理手段の演算処理手続き手順が書き込まれた読み出し専用記憶手段を含んで通信装置を構成する。【選択図】　　　図１
2004133737.tif 000002
【特許請求の範囲】
【請求項１】
通信手段であってデータ通信と同時に電力を供給できる通信手段と、外部ＡＣ電源を適当なＤＣ電源電圧に変換して各モジュールに電源を供給する電源手段と、該電源手段に不具合が生じた時に該電源手段に不具合が生じた時に通知する通知手段と、該電源手段に不具合が生じた時に過渡的に電源を供給する過渡電源供給手段と、演算処理手段と、該演算処理手段が演算処理の際に必要とする記憶手段と、該演算処理手段の演算処理手続き手順が書き込まれた読み出し専用記憶手段を備えたことを特徴とする通信装置。
【請求項２】
前記電源手段の状態により変更される動作モードであって、該電源手段が正常な場合に動作する通常動作モードと、該電源手段に不具合が生じた場合に動作する緊急動作モードの少なくとも２種類の動作モードを持つことを特徴とする請求項１記載の通信装置。
【請求項３】
前記緊急動作モードは、前記電源手段に不具合が生じた場合に１つ以上の内部機能を休止又は停止し、更に、該緊急動作モードは該通信手段から電力の供給を受け、１つ以上の内部機能の動作を持続する動作モードであることを特徴とする請求項２記載の通信装置。
【請求項４】
前記電源手段に不具合が生じた場合に前記通信手段から電力の供給を受け、動作を持続する内部機能は、動作途中で停止した後、再起動した際に不具合を生じる緊急停止時不具合発生機能であることを特徴とする請求項３記載の通信装置。
【請求項５】
前記緊急動作モードは、緊急停止時不具合発生機能を再起動時に不具合が発生しないように処理する動作モードであることを特徴とする請求項４記載の通信装置。
【請求項６】
前記緊急動作モードは、請求項５記載の処理の後、速やかに全ての機能を停止させる動作モードであることを特徴とする請求項５記載の通信装置。
【請求項７】
前記緊急停止時不具合発生機能は、データの保存や読み出し時に用いられるファイルシステム機能であることを特徴とする請求項６記載の通信装置。
【請求項８】
前記緊急停止時不具合発生機能は、インクを吐出することによって印刷を行う印刷機能であることを特徴とする請求項６記載の通信装置。
【請求項９】
前記通信手段は、ユニバーサル・シリアル・バス（ＵＳＢ）であることを特徴とする請求項６〜８の何れかに記載の通信装置。
【請求項１０】
前記通信手段は、ＩＥＥＥ１３９４であることを特徴とする請求項６〜８の何れかに記載の通信装置。
【請求項１１】
前記通信手段は、電話網であることを特徴とする請求項６〜８の何れかに記載の通信装置。
【発明の詳細な説明】
【０００１】
【発明の属する技術分野】
本発明は、例えばユニバーサルシリアルバス（ＵＳＢ）インターフェースのようなデータ転送と電源供給が同時に行えるデータインターフェースを備えた通信装置に関する。
【０００２】
【従来の技術】
従来、ＡＣ電源等の外部電源を使用するデバイスは、予期しないタイミングで電源が抜かれた場合、その時点で停止してしまうものが多く存在した。例えば、パソコン等の情報処理端末に接続されたプリンタにおいては、印刷中に誤って電源を抜かれたり、ＯＡタップを使用している場合に誤ってＯＡタップの主電源を切断してしまった場合、その時点で印刷を停止してしまう。この場合、吐出途中のインクは印字ヘッドに残り、そのまま固まってインク詰りの原因になったり、次回以降の印刷する際に汚れの原因となっていた。又、テレビ番組等をデジタル録画するハードディスクレコーダ等の情報処理端末は、処理中に電源を抜かれるとファイルシステムを破壊してしまい、アクセス中のデータが読み取れなくなるだけでなく、システムが再起動しない等の不具合が生じてしまうことがあった。
【０００３】
このような不具合を解消するために、大容量の平滑コンデンサを多数搭載したり、２次電池を搭載する等して予期しないタイミングで電源が抜かれても、数秒間から数分間電圧を保持するものが存在する。
【０００４】
【発明が解決しようとする課題】
しかしながら、このような平滑コンデンサーや２次電池を用いる手段では、基盤面積が大きくなり、小型化を抑制したり、コストを抑えることができないで製品を作る際に大きな弊害となっていた。
【０００５】
本提案は上記問題に鑑みてなされたもので、その目的とする処は、外部電源からの電力供給が滞った場合でも、データーインターフェースから電力供給を受けて適切な終了処理を行うことができる通信装置を提供することにある。
【０００６】
【課題を解決するための手段】
上記目的を達成するため、本発明は、通信手段であってデータ通信と同時に電力を供給できる通信手段と、外部ＡＣ電源を適当なＤＣ電源電圧に変換して各モジュールに電源を供給する電源手段と、該電源手段に不具合が生じた時に該電源手段に不具合が生じた時に通知する通知手段と、該電源手段に不具合が生じた時に過渡的に電源を供給する過渡電源供給手段と、演算処理手段と、該演算処理手段が演算処理の際に必要とする記憶手段と、該演算処理手段の演算処理手続き手順が書き込まれた読み出し専用記憶手段を含んで通信装置を構成したことを特徴とする。
【０００７】
【発明の実施の形態】
＜実施の形態１＞
以下、本発明の実施の形態１を図１〜図４のブロック図と図５のフローチャートを用いて説明する。
【０００８】
図１はデジタルテレビ録画を行うハードディスクレコーダのデータ及び制御入出力ブロックの一例である。又図２〜図４は各ブロックへの電力供給を示すブロック図の一例である。
【０００９】
図１〜図４において、１０１はハードディスクレコーダ本体、１０２は電源回路、１０３はＭＰＵ、１０４はＲＡＭ、１０５は録画した画像を保存・蓄積するハードディスクドライブ、１０６はデジタル信号を特定のフォーマットにエンコードし、且つ、決まった特定のフォーマットデータをデジタル信号にデコードするコーデック、１０７は外部情報端末と通信するためのインターフェイスＩＣであり、一例としてＩＥＥＥ１３９４インターフェースＩＣを示している。
【００１０】
１０８はＲＯＭ、１０９は操作パネル、１１０はリモコン受光部、１１１は受信したデジタルテレビ信号のチューナー、１１２はチューナー（１１１）で受信したテレビ信号及び、コーデック（１０６）でデコードしたデジタル信号を、ＮＴＳＣフォーマット等にエンコードして表示装置に出力する表示用ＩＣである。１２０はＩＥＥＥ１３９４インターフェースＩＣ（１０７）と通信する外部情報端末、１３０は表示用ＩＣ（１１２）から出力された信号を表示する表示装置である。
【００１１】
又、図２〜図４において、２１３は平滑コンデンサーである。チューナー（１１１）はアナログテレビ信号のチューナーでも良く、その場合、外部又は内部にＡＤ変換機を具備する必要がある。尚、表示装置（１３０）はハードディスクレコーダ本体（１０１）に内蔵されていても構わない。
【００１２】
先ず、正常動作時（Ｓ５１０）のデータ遷移と電源供給について図１及び図２を用いて説明する。
【００１３】
電源回路（１０２）で適当に分圧された電圧が１０３から１１２の各ブロックに供給される（図２）。チューナー（１１１）から出力したＹＵＶ信号は、コーデック（１０６）により例えばＭＰＥＧ２のような特定のフォーマットに変換され、ファイルシステムに従ってハードディスクドライブ（１０５）に書き込まれる。この際、同時にコーデックに入力されるデータを用いて表示用ＩＣ（１１２）を通して表示装置（１３０）で表示しても構わない。
【００１４】
又、ハードディスクドライブ（１０５）に蓄積されたデータは、コーデック（１０６）によりＹＵＶ信号に変換され表示用ＩＣ（１１２）を通して表示装置（１３０）で表示される。上記の操作はリモコン（図示せず）や操作パネル（１０９）からの入力でも構わず、外部情報処理端末（１２０）からのコマンド送信でも構わない。
【００１５】
次に、本発明のハードディスクレコーダ（１０１）において、データをハードディスクドライブ（１０５）に蓄積している時やハードディスクドライブ（１０５）に蓄積されたデータを読み出している時に、電源回路（１０２）に接続されている外部電源が抜かれた時等の不具合が生じた場合の電源供給ブロックと処理を図３〜図５に基づいて説明する。
【００１６】
電力の供給に不具合が生じる（Ｓ５２０）と電源回路（１０２）からＭＰＵ（１０３）に不具合発生の信号が入力される（Ｓ５２５）。このとき、電力は平滑コンデンサー（２１３）に蓄積された電荷で供給を行うことで、電源回路（１０２）の不具合と同時にハードディスクレコーダ（１０１）が瞬時に電源ＯＦＦしないようにしている（Ｓ５３０）。ＭＰＵ（１０３）は無駄な消費電力を削減するために、ＲＯＭ（１０８）、操作パネル（１０９）、リモコン受光部（１１０）、チューナー（１１１）、表示用ＩＣ（１１２）、コーデック（１０６）の各モジュールをサスペンド又は停止させる（図３及びＳ５３５）。これらのモジュールはファイルシステムとは無関係であるため、電源回路（１０２）に不具合が発生した場合、瞬時に停止しても構わない。
【００１７】
その後、ＭＰＵ（１０３）は、ＩＥＥＥ１３９４Ｉ／Ｆを一度切断してから再接続し、バスリセットを行い、バス電源を消費することを外部情報処理（１２０）に通知することで、ＩＥＥＥ１３９４Ｉ／Ｆから電源供給を受ける（図４及びＳ５４０）。要求するバス電源電力はＭＰＵ（１０３）、ＲＡＭ（１０４）、ＨＤＤ（１０５）、ＩＥＥＥ１３９４ＩＣ（１０７）が動作する値でなければならない。ハードディスクレコーダ（１０１）は、予め必要とする電源電力を起動時に要求しておいても構わない。バス電源電力が供給されてからＭＰＵ（１０３）はファイルシステムを保護する終了処理を行う（Ｓ５５０）ことで、安全に電源を落とす（Ｓ５６０）ことが可能になる。
【００１８】
＜実施の形態２＞
次に、本発明の実施の形態２を図６〜図９のブロック図と図１０のフローチャートを用いて説明する。
【００１９】
図６は代表的なインクジェットプリンタのデータ及び制御入出力ブロックの一例である。又、図７〜図９は各ブロックへの電力供給を示すブロック図の一例である。
【００２０】
図６〜図９において、６０１はインクジェットプリンタ本体、６０２は電源回路、６０３はＭＰＵ、６０４はＲＡＭ、６０５はインクを吐出する印字ヘッド、６０６は外部情報端末と通信するためのインターフェイスＩＣであり、一例としてＵＳＢデバイスコントローラーＩＣを示している。６０７はＲＯＭ、６０８は操作パネル、６０９は印字ヘッドの移動及び印刷対象物の移動を行うステッピングモーター及びその制御部、６１０はセンサーである。６２０はＵＳＢデバイスコントローラーＩＣ（６０６）と通信する外部情報端末である。又、図７〜図９において、７１１は平滑コンデンサーである。
【００２１】
先ず、正常動作時（Ｓ１０１０）のデータ遷移と電源供給について図６及び図７を用いて説明する。
【００２２】
電源回路（６０２）で適当に分圧された電圧が６０３から６１０の各ブロックに供給される（図７）。外部情報処理端末（６２０）から印刷の命令とデータを受信すると、印刷を開始する。印刷は印字ヘッドからインクを吐出するのに同期して、ステッピングモーターが動作することで行われる。
【００２３】
次に、本発明のインクジェットプリンタ（６０１）において、印刷している最中に電源回路（６０２）に接続されている外部電源が抜かれた時等の不具合が生じた場合の電源供給ブロックと処理を図８〜図１０を用いて説明する。
【００２４】
電力の供給に不具合が生じる（Ｓ１０２０）と電源回路（６０２）からＭＰＵ（６０３）に不具合発生の信号が入力される（Ｓ１０２５）。このとき、電力は平滑コンデンサー（７１１）に蓄積された電荷で供給を行う（Ｓ１０３０）ことで、電源回路（６０２）の不具合と同時にインクジェットプリンタ（６０１）が瞬時に電源ＯＦＦしないようにしている。ＭＰＵ（６０３）は無駄な消費電力を削減するために、ＲＯＭ（６０７）、操作パネル（６０８）、ステッピングモーター制御部（６０９）、センサー（６１０）の各モジュールをサスペンド又は停止させる（図８及びＳ１０３５）。これらのモジュールは印字ヘッド（６０５）からのインクの吐出とは無関係であるため、電源回路（６０２）に不具合が発生した場合、瞬時に停止しても構わない。
【００２５】
その後、ＭＰＵ（６０３）は、ＵＳＢインターフェイスを一度切断してから再接続し、バスリセットを行い、バス電源を消費することを外部情報処理（６２０）に通知することで、ＵＳＢインターフェイスから電源供給を受ける（図９及びＳ１０４０）。要求するバス電源電力はＭＰＵ（６０３）、ＲＡＭ（６０４）、印字ヘッド（６０５）、ＵＳＢデバイスコントローラーＩＣ（６０６）が動作する値でなければならない。インクジェットプリンタ（６０１）は予め必要とする電源電力を起動時に要求しておいても構わない。バス電源電力が供給されてからＭＰＵ（６０３）は印字ヘッド（６０５）を保護するために吐出中のインクを処理し、終了処理を行う（Ｓ１０５０）ことで、印字ヘッド（６０５）の汚れや詰りのない状態で安全に電源を落とす（Ｓ１０６０）ことが可能になる。
【００２６】
＜実施の形態３＞
次に、本発明の実施の形態３を図１１〜図１４のブロック図と図１５のフローチャートを用いて説明する。
【００２７】
図１１は代表的な普通紙ＦＡＸのデータ及び制御入出力ブロックの一例である。又、図１２〜図１４は各ブロックへの電力供給を示すブロック図の一例である。
【００２８】
図１１〜図１４において、１１０１は普通紙ＦＡＸの本体、１１０２は電源回路、１１０３はＭＰＵ、１１０４はＲＡＭ、１１０５はインクを吐出する印字ヘッド、１１０６はモデム、１１０７は網制御ユニット（ＮＣＵ）、１１０８はＲＯＭ、１１０９は操作パネル、１１１０は印字ヘッドの移動及び印刷対象物の移動を行うステッピングモーター及びその制御部、１１１１はセンサー、１１１２は画像を読み取るためのスキャナー部である。１１２０は電話網である。又、図７〜図９において、１２１３は平滑コンデンサーである。
【００２９】
先ず、正常動作時（Ｓ１５１０）のデータ遷移と電源供給について図１１及び１２を用いて説明する。
【００３０】
電源回路（１１０２）で適当に分圧された電圧が１１０３から１１０６及び１１０８から１１１２の各ブロックに供給される（図１２）。ＦＡＸの受信は、電話網（１１２０）から送られてきたデータをモデム（１２０６）によりデジタル信号に変換し、更に、ＭＰＵ（１１０３）においてデコードして印刷を行う。印刷は印字ヘッド（１１０５）からインクを吐出するのに同期して、ステッピングモーターが動作することで行われる。又、ＦＡＸの送信は、スキャナー部（１１１２）で読み取った画像をＭＰＵ（１１０３）においてエンコードし、更にモデム（１１０６）によりデータをアナログ信号に変換して電話網（１１２０）から送出する。
【００３１】
次に、本発明の普通紙ＦＡＸ（１１０１）においてＦＡＸを受信し、印刷している最中に電源回路（１１０２）に接続されている外部電源が抜かれた時等の不具合が生じた場合の電源供給ブロックと処理を図１３〜図１５を用いて説明する。
【００３２】
電力の供給に不具合が生じる（Ｓ１５２０）と電源回路（１１０２）からＭＰＵ（１１０３）に不具合発生の信号が入力される（Ｓ１５２５）。このとき、電力は平滑コンデンサー（１２１３）に蓄積された電荷で供給を行う（Ｓ１５３０）ことで、電源回路（１１０２）の不具合と同時に普通紙ＦＡＸ（１１０１）が瞬時に電源ＯＦＦしないようにしている。
【００３３】
ＭＰＵ（１１０３）は無駄な消費電力を削減するために、モデム（１１０６）、ＲＯＭ（１１０８）、操作パネル（１１０９）、ステッピングモーター制御部（１１１０）、センサー（１１１１）、スキャナー部（１１１２）の各モジュールを休止又は停止させる（図１３及びＳ１５３５）。これらのモジュールは印字ヘッド（１１０５）からのインクの吐出とは無関係であるため、電源回路（１１０２）に不具合が発生した場合、瞬時に停止しても構わない。
【００３４】
その後、ＭＰＵ（１１０３）は、ＮＣＵ（１１０７）を操作し、電話網（１１２０）から電源供給を受ける（図１４及びＳ１５４０）。電話網（１１２０）からの電源電力により、ＭＰＵ（１１０３）は印字ヘッド（１１０５）を保護するために吐出中のインクを処理し、終了処理を行う（Ｓ１５５０）ことで、印字ヘッド（１１０５）の汚れや詰りのない状態で安全に電源を落とす（Ｓ１５６０）ことが可能になる。ＦＡＸを送信している場合における電源不具合は、特に処理をする必要はないが、平滑コンデンサー（１２１３）からの電源供給により、全てのモジュールを安全に停止させてから終了することで、より安全なシステムになる。
【００３５】
【発明の効果】
以上の説明で明らかなように、本発明の構成によれば、外部電源からの電力供給が滞った場合でも、データーインターフェースから電力供給を受け、適切な終了処理を行うことができるという効果が得られる。
【図面の簡単な説明】
【図１】本発明のハードディスクレコーダにおけるデータ及び制御入出力概略図である。
【図２】本発明のハードディスクレコーダにおける正常動作時電源供給概略図である。
【図３】本発明のハードディスクレコーダにおける電源異常発生直後の電源供給概略図である。
【図４】本発明のハードディスクレコーダにおける電源異常時の電源供給概略図である。
【図５】本発明のハードディスクレコーダにおける電源異常発生時の処理手順を示したフローチャートである。
【図６】本発明のインクジェットプリンタにおけるデータ及び制御入出力概略図である。
【図７】本発明のインクジェットプリンタにおける正常動作時電源供給概略図である。
【図８】本発明のインクジェットプリンタにおける電源異常発生直後の電源供給概略図である。
【図９】本発明のインクジェットプリンタにおける電源異常時の電源供給概略図である。
【図１０】本発明のインクジェットプリンタにおける電源異常発生時の処理手順を示したフローチャートである。
【図１１】本発明の普通紙ＦＡＸにおけるデータ及び制御入出力概略図である。
【図１２】本発明の普通紙ＦＡＸにおける正常動作時電源供給概略図である。
【図１３】本発明の普通紙ＦＡＸにおける電源異常発生直後の電源供給概略図である。
【図１４】本発明の普通紙ＦＡＸにおける電源異常時の電源供給概略図である。
【図１５】本発明の普通紙ＦＡＸにおける電源異常発生時の処理手順を示したフローチャートである。
【符号の説明】
１０１　　ハードディスクレコーダ本体
１０２　　電源回路
１０３　　ＭＰＵ
１０４　　ＲＡＭ
１０５　　ハードディスクドライブ
１０６　　コーデック
１０７　　ＩＥＥＥ１３９４インターフェースＩＣ
１０８　　ＲＯＭ
１０９　　操作パネル
１１０　　リモコン受光部、
１１１　　チューナー
１１２　　表示用ＩＣ
１２０　　外部情報端末
１３０　　表示装置
２１３　　平滑コンデンサー
６０１　　インクジェットプリンタ本体
６０２　　電源回路
６０３　　ＭＰＵ
６０４　　ＲＡＭ
６０５　　印字ヘッド
６０６　　ＵＳＢデバイスコントローラーＩＣ
６０７　　ＲＯＭ
６０８　　操作パネル
６０９　　ステッピングモーター及びその制御部
６１０　　センサー
６２０　　外部情報端末
７１１　　平滑コンデンサー
１１０１　普通紙ＦＡＸの本体
１１０２　電源回路
１１０３　ＭＰＵ
１１０４　ＲＡＭ
１１０５　印字ヘッド
１１０６　モデム
１１０７　網制御ユニット（ＮＣＵ）
１１０８　ＲＯＭ
１１０９　操作パネル
１１１０　ステッピングモーター及びその制御部
１１１１　センサー
１１１２　スキャナー部
１１２０　電話網
１２１３　平滑コンデンサー
【図１】
2004133737.tif 000003
【図２】
2004133737.tif 000004
【図３】
2004133737.tif 000005
【図４】
2004133737.tif 000006
【図５】
2004133737.tif 000007
【図６】
2004133737.tif 000008
【図７】
2004133737.tif 000009
【図８】
2004133737.tif 000010
【図９】
2004133737.tif 000011
【図１０】
2004133737.tif 000012
【図１１】
2004133737.tif 000013
【図１２】
2004133737.tif 000014
【図１３】
2004133737.tif 000015
【図１４】
2004133737.tif 000016
【図１５】
2004133737.tif 000017